(57)【要約】【課題】防暑のためにシャツのボタンの一部を留めずに着用しても外見を損なわせないシャツ開き調整機構を提供する。【解決手段】胸元調整機構１０は、ワイシャツ３０のボタン穴３４に対して着脱自在に取り付けられるボタン部１２と、ボタン穴３４に対応するボタン３２に括り付けられる輪１４Ａを有し、ボタン部１２に接続される紐状のループ部１４と、を備える。そして、ループ部１４の長さは、一部のボタン３２が留められずにワイシャツ３０が着用された場合におけるシャツ３０の開きよりも短い長さとされる。これにより、ワイシャツ３０の着用時に留められなかったボタン３２及びボタン穴３４に胸元調整機構１０を取り付けることで、ボタン３２を留めないことで生じるワイシャツ３０の開きを小さくでき、かつループ部１４が紐状のため目立たない。【選択図】図３
0003216258.tif 000002
【実用新案登録請求の範囲】
【請求項１】
シャツのボタン穴に対して着脱自在に取り付けられるボタン部と、
前記ボタン穴に対応する前記シャツのボタンに括り付けられる輪を有し、前記ボタン部に接続される紐状のループ部と、
を備え、
前記ループ部の長さは、一部の前記ボタンが留められずに前記シャツが着用された場合における前記シャツの開きよりも短い長さであるシャツ開き調整機構。
【請求項２】
前記ループ部は、前記ボタン部に結び付けられた紐であり、
前記紐に対して摺動することで、前記輪の大きさを調整するループ調整部を備える請求項１記載のシャツ開き調整機構。
【請求項３】
前記ループ部の長さは、前記シャツの上部から一つ目のボタン及び二つ目のボタンが留められずに前記シャツが着用された場合における、前記二つ目のボタンの位置に対応する前記シャツの開きよりも短い長さである請求項１又は請求項２記載のシャツ開き調整機構。
【請求項４】
前記ループ部の前記輪に前記ボタンに係合させる留め具が備えられる請求項１から請求項３の何れか１項記載のシャツ開き調整機構。
【請求項５】
前記ボタン部から前記輪までの長さを調整する長さ調整部を備える請求項１から請求項４の何れか１項記載のシャツ開き調整機構。
【請求項６】
前記ボタン部は、徽章が固定可能とされる請求項１から請求項５の何れか１項記載のシャツ開き調整機構。
【考案の詳細な説明】
【技術分野】
【０００１】
本考案は、シャツ開き調整機構に関するものである。
【背景技術】
【０００２】
気温が上昇して暑い夏季等には開襟シャツを着用する人もいるが、通常のワイシャツ（Ｙシャツ）を着用する人もいる。一般的なワイシャツでは、最上部のボタンを１つだけ開けて着用しても暑く感じ、最上部から２つ目のボタンをさらに開ける場合がある。しかしながら、２つ目のボタンも開けてワイシャツを着用すると、胸元が開き過ぎとなり、外見が損なわれる場合がある。
【０００３】
ここで、非特許文献１には、ワイシャツ最上部の第一ボタンとそのボタン穴を跨ぐように装着し、襟の締め付けによる頸部の圧迫を防ぎつつ、襟の形状を整える機能を有する襟部閉止具が開示されている。
【先行技術文献】
【非特許文献】
【０００４】
【非特許文献１】意匠登録第１５７５８１８号公報
【考案の概要】
【考案が解決しようとする課題】
【０００５】
非特許文献１に開示されている襟部閉止具は、ワイシャツ最上部の第一ボタンとそのボタン穴を跨ぐように装着されるものであるが、その目的は頸部の圧迫を防ぎつつ、襟の形状を整えるものであり、防暑を目的としたものではない。
【０００６】
本考案は、防暑のためにシャツのボタンの一部を留めずに着用しても外見を損なわせないシャツ開き調整機構を提供することを目的とする。
【課題を解決するための手段】
【０００７】
上記課題を解決するために、本考案のシャツ開き調整機構は以下の手段を採用する。
【０００８】
本考案の態様に係るシャツ開き調整機構は、シャツのボタン穴に対して着脱自在に取り付けられるボタン部と、前記ボタン穴に対応する前記シャツのボタンに括り付けられる輪を有し、前記ボタン部に接続される紐状のループ部と、を備え、前記ループ部の長さは、一部の前記ボタンが留められずに前記シャツが着用された場合における前記シャツの開きよりも短い長さである。
【０００９】
上記「シャツ開き調整機構」には、以下に例示するように、種々の技術的限定を加えてもよい。
【００１０】
前記ループ部は、前記ボタン部に結び付けられた紐であり、前記紐に対して摺動することで、前記輪の大きさを調整するループ調整部を備える。
【００１１】
前記ループ部の長さは、前記シャツの上部から一つ目のボタン及び二つ目のボタンが留められずに前記シャツが着用された場合における、前記二つ目のボタンの位置に対応する前記シャツの開きよりも短い長さである。
【００１２】
前記ループ部の前記輪に前記ボタンに係合させる留め具が備えられる。
【００１３】
前記ボタン部から前記輪までの長さを調整する長さ調整部を備える。
【００１４】
前記ボタン部は、徽章が固定可能とされる。
【考案の効果】
【００１５】
本考案によれば、防暑のためにシャツのボタンの一部を留めずに着用しても外見を損なわせない、という効果を有する。
【図面の簡単な説明】
【００１６】
【図１】本考案の第１実施形態に係る胸元調整機構の外観図である。
【図２】本考案の第１実施形態に係る胸元調整機構が備えるループ調整部の使用例を示す図である。
【図３】本考案の第１実施形態に係る胸元調整機構の使用例を示す図である。
【図４】本考案の第２実施形態に係る胸元調整機構が備える長さ調整部を示す図である。
【考案を実施するための形態】
【００１７】
以下に、本考案に係る胸元調整機構の一実施形態について、図面を参照して説明する。
【００１８】
［１．第１実施形態］
以下、本考案の第１実施形態について説明する。
【００１９】
〔１−１．胸元調整機構の全体構成〕
図１は、本実施形態に係る胸元調整機構１０の外観図である。図１（Ａ）は胸元調整機構１０の斜視図、図１（Ｂ）は胸元調整機構１０の正面図、図１（Ｃ）は胸元調整機構１０の左側面図、図１（Ｄ）は胸元調整機構１０の背面図である。図２は、ループ調整部１６の使用例を示す図である。図３は、胸元調整機構１０の使用例を示す図である。
【００２０】
胸元調整機構１０は、例えばワイシャツ３０等のシャツのボタン３２の一部が留められずに着用された場合に、当該ボタン３２と当該ボタン３２に対応するボタン穴３４とに取り付けられ、ワイシャツ３０の開きを小さくするものである（図３参照）。
【００２１】
本実施形態に係る胸元調整機構１０は、一例として胸元（胸襟）のボタン３２、より具体的には上部から一つ目のボタン（以下「第１ボタン」という。）及び二つ目のボタン（以下「第２ボタン」という。）が留められずにワイシャツ３０が着用された場合に、第２ボタンと第２ボタンに対応するボタン穴（以下「第２ボタン穴」）とを跨ぐように取り付けられる。なお、ワイシャツ３０の着用者が胸元のボタン３２を留めない場合とは、例えば防暑のためである。
【００２２】
図１に示されるように胸元調整機構１０は、ボタン部１２、ループ部１４、ループ調整部１６を備える。なお、胸元調整機構１０を構成するボタン部１２、ループ部１４、及びループ調整部１６の材質は限定されない。
【００２３】
ボタン部１２は、ワイシャツ３０のボタン穴３４（図３参照）に対して着脱自在に取り付けられる。ボタン部１２には、穴１８が形成され、この穴１８にループ部１４を形成する紐２０が結び付けられる。
【００２４】
なお、本実施形態に係るボタン部１２は、４つの穴１８が形成されるが、穴１８の数は限定されず、例えば２つであってもよい。また、紐２０が結び付けられる穴１８は図１に示されるようにボタン部１２の正面から背面に向かって貫通するものではなく、例えば、ボタン部１２の背面に突起が形成され、この突起を貫通するもの等、異なる形態であってもよい。また、ボタン部１２と紐２０との結び方も、ボタン部１２と紐２０とを結合できればよく、限定されるものではない。
【００２５】
紐状のループ部１４は、輪１４Ａが形成され、輪１４Ａが形成される方向と逆方向でボタン部１２に接続される。輪１４Ａは、ボタン部１２が取り付けられるワイシャツ３０のボタン穴３４に対応するボタン３２（図３参照）に括り付けられる。なお、輪１４Ａを形成せずボタン部１２と接続する部分を接続部１４Ｂという。すなわち、本実施形態に係るループ部１４は、輪１４Ａと接続部１４Ｂとで構成される。また、輪１４Ａと接続部１４Ｂとの間には、ループ調整部１６が備えられる。ループ調整部１６の詳細は後述する。
【００２６】
また、ループ部１４の長さ（以下「ループ部全長」という。）Ｌは、一部のボタン３２が留められずにワイシャツ３０が着用された場合におけるワイシャツ３０の開きよりも短い長さである。より具体的には、本実施形態に係るループ部全長Ｌは、ワイシャツ３０の第１ボタン及び第２ボタンが留められずにワイシャツ３０が着用された場合における、第２ボタンの位置に対応するワイシャツ３０の開きよりも短い長さである。例えば、ループ部全長Ｌは、一般的なワイシャツ３０の第１ボタン及び第２ボタンを開いた場合における胸元の開きの約２分の１とされ、約４〜５ｃｍである。
【００２７】
また、ループ部１４の輪１４Ａ、換言するとループ部１４の端部にはワイシャツ３０のボタン３２に係合させる留め具２２が備えられる。留め具２２は、例えば貫通穴が形成された球形であり、この貫通穴にループ部１４を形成する紐２０が通され、接着剤等により紐２０に接合される。そして、胸元調整機構１０の使用時には、ワイシャツ３０のボタン３２の付け糸に留め具２２が引っ掛かることで、ループ部１４がボタン３２に係合される。なお、本実施形態に係る留め具２２の形状は一例であり、輪１４Ａをボタン３２に係合させることができれば、他の形状でもよい。
【００２８】
なお、ループ部１４の色は限定されないが、取り付けられるワイシャツ３０の色とループ部１４の色とが同様の色である場合には、ワイシャツ３０にループ部１４を取り付けても胸元調整機構１０が目立つことがない。
【００２９】
〔１−２．ループ調整部の構成〕
ループ調整部１６は、ループ部１４を形成する紐２０に対して摺動（スライド）することで、輪１４Ａの大きさを調整する。
【００３０】
図２を参照してループ調整部１６の詳細を説明する。図２（Ａ）はループ調整部１６の概略透視図であり、図２（Ｂ）は輪１４Ａを大きくした場合における胸元調整機構１０の背面図であり、図２（Ｃ）は輪１４Ａを小さくした場合における胸元調整機構１０の背面図である。
【００３１】
図２（Ａ）に示されるようにループ調整部１６は、２つの貫通孔１６Ａ，１６Ｂが形成され、それぞれにループ部１４を形成する紐２０が通される。これにより、ループ調整部１６は、紐２０に対して摺動可能となる。そして、図２（Ｂ）の矢印Ａで示されるようにループ調整部１６をボタン部１２側へ移動させることで、輪１４Ａの径は大きくなり、接続部１４Ｂは短くなる。また、図２（Ｃ）の矢印Ｂで示されるようにループ調整部１６をボタン部１２側と逆方向へ移動させることで、輪１４Ａの径は小さくなり、接続部１４Ｂは長くなる。
【００３２】
なお、本実施形態に係るループ調整部１６の構成は一例であり、輪１４Ａの大きさを調整できれば、他の構成でもよい。例えば、ループ調整部１６に形成される貫通孔は、２つではなく一つであり、一つの穴に紐２０が折り返して通されてもよい。
【００３３】
〔１−３．胸元調整機構の使用方法〕
図３を参照して本実施形態に係る胸元調整機構１０の使用方法を説明する。なお、図３に示されるボタン３２は一例として第２ボタンであり、ボタン穴３４は第２ボタンに対応するボタン穴である。
【００３４】
胸元調整機構１０は、一例として、先にボタン部１２がワイシャツ３０のボタン穴３４に取り付けられ、ループ部１４に形成される輪１４Ａがボタン穴３４に対応するボタン３２に括り付けられる。
【００３５】
そして、ループ部全長Ｌがワイシャツ３０の開きよりも短い長さとされているため、第２ボタンを留めずにワイシャツ３０を着用しても、第２ボタン及び第２ボタン穴に胸元調整機構１０を取り付けることで、ワイシャツ３０の開きを小さくできる。特に、夏季等に防暑のため胸元のボタン（第１ボタン及び第２ボタン）を留めずにワイシャツ３０を着用しても外見が損なわれない。
【００３６】
また、ループ調整部１６は、ループ部１４が形成する輪１４Ａの大きさ（径）を調整できるので、ワイシャツ３０の着用者は、ワイシャツ３０のボタン３２に輪１４Ａを括り付ける前にループ調整部１６を摺動させることで輪１４Ａを大きくし、輪１４Ａをボタン３２に括り付けた後に輪１４Ａを小さくする。また、ワイシャツ３０の着用者は、ワイシャツ３０のボタン３２から輪１４Ａを外す場合に、ループ調整部１６を摺動させることで輪１４Ａを大きくする。
【００３７】
このように、ワイシャツ３０の着用者は、ループ調整部１６を摺動させることで、胸元調整機構１０を簡易にワイシャツ３０のボタン３２に括り付けることができる。なお、ループ部１４は、輪１４Ａに備えられる留め具２２をボタン３２の付け糸に引っ掛けることで、ボタン３２に係合される。
【００３８】
また、胸元調整機構１０は、ワイシャツ３０に取り付けられた場合、ループ部１４が他者に視認される可能性があるが、ループ部１４は紐状であるために目立たない。従って、胸元調整機構１０をワイシャツ３０に取り付けても、胸元調整機構１０そのものによって外見が損なわれることがない。
【００３９】
以上説明したように、本実施形態に係る胸元調整機構１０は、ワイシャツ３０のボタン穴３４に対して着脱自在に取り付けられるボタン部１２と、ボタン穴３４に対応するボタン３２に括り付けられる輪１４Ａを有し、ボタン部１２に接続される紐状のループ部１４と、を備える。そして、ループ部１４の長さは、一部のボタン３２が留められずにワイシャツ３０が着用された場合におけるワイシャツ３０の開きよりも短い長さとされる。
【００４０】
これにより、ワイシャツ３０の着用時に留められなかったボタン３２及びボタン穴３４に胸元調整機構１０を取り付けることで、ボタン３２を留めないことで生じるワイシャツ３０の開きを小さくでき、かつループ部１４が紐状のため目立たない。このため、ワイシャツ３０が、防暑のためにボタン３２の一部を留めずに着用されても着用者の外見は損なわれない。
【００４１】
［２．第２実施形態］
以下、本考案の第２実施形態について説明する。
【００４２】
本実施形態に係る胸元調整機構１０の構成は、第１実施形態に係る胸元調整機構１０の構成と同様であるが、図４に示される長さ調整部４０を備える。なお、図４は、長さ調整部４０の概略透視図である。
【００４３】
長さ調整部４０は、一例として、ボタン部１２とループ調整部１６との間に備えられ、ボタン部１２から輪１４Ａまでの長さを調整する。すなわち、長さ調整部４０は、実質的なループ部１４の長さ（ループ部全長Ｌ）を調整する。
【００４４】
長さ調整部４０は、４つの貫通孔４０Ａ，４０Ｂ，４０Ｃ，４０Ｄが横方向にこの順で形成される。そして、ループ部１４を形成する紐２０は、外側の貫通孔４０Ａ，４０Ｄの順に挿入された後に、ループ調整部１６の貫通孔１６Ａに挿入される。そして、紐２０は、ループ調整部１６の貫通孔１６Ｂに挿入された後に、内側の貫通孔４０Ｃ，４０Ｂの順に挿入される。
【００４５】
これにより、長さ調整部４０を矢印Ｃ方向へ摺動（スライド）させることで、ボタン部１２から輪１４Ａまでの長さが短くなる。一方、長さ調整部４０を矢印Ｄ方向へ摺動させることで、ボタン部１２から輪１４Ａまでの長さが長くなる。
【００４６】
すなわち、本実施形態に係る胸元調整機構１０をワイシャツ３０に取り付けた後に、ワイシャツ３０の着用者が長さ調整部４０を摺動させることで、ボタン部１２から輪１４Ａまでの長さを調整することで、ワイシャツ３０の開き具合が調整可能となる。
【００４７】
なお、本実施形態に係る長さ調整部４０の構成は一例であり、ループ部全長Ｌを調整できれば、他の構成でもよい。
【００４８】
〔３．他の実施形態〕
以上、本考案を、上記実施形態を用いて説明したが、本考案の技術的範囲は上記実施形態に記載の範囲には限定されない。考案の要旨を逸脱しない範囲で上記実施形態に多様な変更又は改良を加えることができ、該変更又は改良を加えた形態も本考案の技術的範囲に含まれる。
【００４９】
例えば、上記実施形態では、胸元調整機構１０がループ調整部１６を備える形態について説明したが、本考案はこの形態に限られず、胸元調整機構１０はループ調整部１６を備えない形態でもよい。この形態の一例として、ループ部１４が有する接続部１４Ｂが編み込まれることで一定とされ、これに伴い、ループ部１４が有する輪１４Ａの大きさ（径）は一定とされる。
【００５０】
また、ボタン部１２は、社章等の徽章が固定可能されてもよい。例えば、ボタン部１２の表面に徽章のピンを留めるピン留部が形成されることで、ボタン部１２に徽章が固定可能とされる。これにより、例えば、夏季に背広を着用しない場合であっても、ワイシャツ３０に徽章を取り付けることができる。
【００５１】
また、上記実施形態では、胸元調整機構１０のワイシャツ３０への取り付けとして、先にボタン部１２をボタン穴３４へ取り付けた後に、ループ部１４をボタン３２へ取り付ける形態について説明したが、本考案はこの形態に限られず、先にループ部１４をボタン３２へ取り付けた後に、ボタン部１２をボタン穴３４へ取り付けてもよい。
【００５２】
また、上記実施形態では、ループ部１４を紐状としたが、ループ部１２は例えば、布製ではなく、チェーンのような金属製であってもよい。
【符号の説明】
【００５３】
１０    胸元調整機構（シャツ開き調整機構）
１２    ボタン部
１４    ループ部
１６    ループ調整部
２０    紐
２２    留め具
３０    ワイシャツ（シャツ）
４０    長さ調整部
【図１】
0003216258.tif 000003
【図２】
0003216258.tif 000004
【図３】
0003216258.tif 000005
【図４】
0003216258.tif 000006